【手続補正書】
【提出日】平成16年6月11日(2004.6.11)
【手続補正１】
【補正対象書類名】明細書
【補正対象項目名】特許請求の範囲
【補正方法】変更
【補正の内容】
【特許請求の範囲】
【請求項１】
円筒状に形成された部屋の周面に沿って洗浄水が供給される旋回室と、
この旋回室の貫通穴から一端を旋回室外部に突出させ他端が旋回室内に位置するようにして前記旋回室に配設され、前記洗浄水の吐水流路を穿設して備えて該吐水流路から洗浄水を吐水する旋回部材とを備え、
前記旋回室へ供給された洗浄水の運動エネルギーから直接受ける力と該運動エネルギーにより生じる揚力および遠心力によって前記旋回部材を旋回させる洗浄ノズルにおいて、
前記旋回部材は、旋回部材中心軸の軸線方向に移動可能とされ、該軸線方向に移動して前記貫通穴周囲に点接触しつつ、前記旋回室部材中心軸が旋回室中心軸に対して傾く揺動を起こして旋回する
洗浄ノズル。
【請求項２】
請求項１記載の洗浄水ノズルであって、
前記旋回室部材中心軸が前記旋回室中心軸に対して傾く前記旋回部材の最大傾斜角度を規制する最大角度規制ガイド部を前記旋回室に備え、
前記旋回部材は、前記最大角度規制ガイドに接触して最大傾斜角度に達するまでにおいても、前記貫通穴周囲と点接触する
洗浄ノズル。
【請求項３】
請求項１または請求項２記載の洗浄水ノズルであって、
前記旋回部材は、前記貫通穴周囲との接触部をテーパー構造として備える
洗浄ノズル。
【請求項４】
請求項３記載の洗浄水ノズルであって、
前記旋回部材のテーパー角度は、前記旋回部材が旋回室において傾く前記最大傾斜角度よりも大きくされている
洗浄ノズル。
【請求項５】
請求項１ないし請求項４いずれか記載の洗浄水ノズルであって、
前記旋回室の貫通穴周囲に、貫通穴を取り囲む突起を有する
洗浄ノズル。
【請求項６】
請求項５記載の洗浄水ノズルであって、
前記突起は、前記貫通穴周囲の一部範囲にかけて形成されている
洗浄ノズル。
【請求項７】
請求項６記載の洗浄水ノズルであって、
前記貫通穴周囲の一部範囲の前記突起は、貫通穴周方向に沿って滑らかに傾斜した傾斜構造を有する
洗浄ノズル。
【請求項８】
請求項５ないし請求項７いずれか記載の洗浄水ノズルであって、
前記旋回部材が前記突起と接することにより前記旋回部材中心軸が前記旋回室中心軸に対して傾く角度は、前記旋回部材が前記旋回室と当接して傾斜し得る最大傾斜角度よりも小さくされている
洗浄ノズル。
【請求項９】
請求項１ないし請求項８いずれか記載の洗浄水ノズルであって、
前記貫通穴と対向する旋回室底面に、前記旋回室中心軸において前記旋回部材と干渉する突起を設けた
洗浄ノズル。
【請求項１０】
請求項９記載の洗浄水ノズルであって、
前記旋回部材が前記突起に干渉して前記旋回部材中心軸が前記旋回室中心軸に対して傾く角度は、前記旋回部材が前記旋回室と当接して傾斜し得る最大傾斜角度よりも小さくされている
洗浄ノズル。
【請求項１１】
請求項１ないし請求項１０いずれか記載の洗浄水ノズルであって、
前記旋回部材は、前記貫通穴から旋回室外部に突出させている前記一端側の部分における中心軸から偏心した位置に重心が来るよう、形成されている
洗浄ノズル。
【請求項１２】
請求項１１記載の洗浄水ノズルであって、
前記旋回部材は旋回室に流入する洗浄水の力を受ける受圧部を有し、該受圧部により前記重心を前記中心軸から偏心させている
洗浄ノズル。
【請求項１３】
請求項１１記載の洗浄水ノズルであって、
前記受圧部は、その形状が前記中心軸周りにおいて不均一とされている
洗浄ノズル。
【請求項１４】
円筒状に形成された部屋の周面に沿って洗浄水が供給される旋回室と、
この旋回室の貫通穴から一端を旋回室外部に突出させ他端が旋回室内に位置するようにして前記旋回室に配設され、前記洗浄水の吐水流路を穿設して備えて該吐水流路から洗浄水を吐水する旋回部材とを備え、
前記旋回室へ供給された洗浄水の運動エネルギーから直接受ける力と該運動エネルギーにより生じる揚力および遠心力によって前記旋回部材を旋回させる洗浄ノズルにおいて、
前記貫通穴と対向する旋回室底面に、前記旋回室中心軸において前記旋回部材と干渉する突起を有する
洗浄ノズル。
【請求項１５】
円筒状に形成された部屋の周面に沿って洗浄水が供給される旋回室と、
この旋回室の貫通穴から一端を旋回室外部に突出させ他端が旋回室内に位置するようにして前記旋回室に配設され、前記洗浄水の吐水流路を穿設して備えて該吐水流路から洗浄水を吐水する旋回部材とを備え、
前記旋回室へ供給された洗浄水の運動エネルギーから直接受ける力と該運動エネルギーにより生じる揚力および遠心力によって前記旋回部材を旋回させる洗浄ノズルにおいて、
前記旋回部材は、前記貫通穴から旋回室外部に突出させている前記一端側の部分における中心軸から偏心した位置に重心が来るよう、形成されている
洗浄ノズル。
【請求項１６】
請求項１ないし請求項１５いずれか記載の洗浄水ノズルであって、
前記旋回室は、前記貫通穴の周囲から漏水させる漏水部を有する
洗浄ノズル。
【請求項１７】
請求項１６記載の洗浄水ノズルであって、
前記漏水部は、前記旋回室の貫通穴周囲の一部に形成された漏水口を有する
洗浄ノズル。
【請求項１８】
請求項１６記載の洗浄水ノズルであって、
前記漏水部は、前記旋回室の前記貫通穴と前記貫通穴内に位置する旋回部材の部位の少なくとも一方の形状を略楕円もしくは長円構造とすることで構成される
洗浄ノズル。
【請求項１９】
人体を洗浄するシャワー装置であって、
請求項１ないし請求項１８いずれかに記載の洗浄ノズルに、水道直圧により給水するようにした
シャワー装置。
【請求項２０】
人体を洗浄するシャワー装置であって、
請求項１ないし請求項１８いずれかに記載の洗浄ノズルに、洗浄水圧送手段により給水するようにした
シャワー装置。
【手続補正２】
【補正対象書類名】明細書
【補正対象項目名】０００４
【補正方法】変更
【補正の内容】
【０００４】
図面を用いて具体的に説明すると、従来は図２６のように旋回室１０５内の圧力Ｐにより旋回部材１０２が洗浄ノズル１０１との摺動部１０９に力Ｆ１で押し付けられている。また、旋回部材１０２には洗浄水の運動エネルギーから直接受ける力と該運動エネルギーにより生じる揚力および遠心力Ｆ２も影響をおよぼす。これを模式的に描いたものが図２７である。
図２７は物体１１１にＦ１，Ｆ２の力が働いており、点Ｑは平面１１２に固定されている。
この物体１１１が図２７に示す点Ｑを中心に回転する条件、つまり図２６の旋回部材１０２が旋回室１０５の中央部より偏心する条件は図２７の点Ｑまわりの回転モーメントの釣り合いより時計回りを正とすると、Ｆ２×A−Ｆ１×B/2＞０である。ここで、Ｆ１は図２７に示すように、物体１１１のちょうど真ん中に働いているとする。そうすると、Ｂの距離が大きいほど物体を移動する力Ｆ２は大きくなる。
図２６において、従来旋回部材１０２の洗浄ノズルとの接触部１０８にRを設けて摺動部を球面にする技術においても、旋回部材と洗浄ノズルの接触部１０９は平面と曲線の接触であるが、Ｒ部の加工精度などにより、接触部１０９において平面同士の接触に近くなっている場合があった。
そのため図２７におけるＢが大きくなり洗浄水の運動エネルギーから直接受ける力と該運動エネルギーにより生じる揚力および遠心力では物体１１１（図２６の旋回部材１０２）が揺動を起こさない可能性があった。
また、一度洗浄水の通水を行い、旋回室が満水時において、再び洗浄水の通水を開始した場合、旋回室内の圧力伝播のほうが洗浄水の粘性により、洗浄水の運動エネルギーから直接受ける力と該運動エネルギーにより生じる揚力および遠心力よりも旋回部材に早く影響を及ぼすため、初期における旋回部材の偏心も期待できなくなり、さらに揺動を確実に始動することが困難であった。
【手続補正３】
【補正対象書類名】明細書
【補正対象項目名】０００８
【補正方法】変更
【補正の内容】
【０００８】
上記目的を達するためになされた本発明の洗浄ノズルは、
円筒状に形成された部屋の周面に沿って洗浄水が供給される旋回室と、
この旋回室の貫通穴から一端を旋回室外部に突出させ他端が旋回室内に位置するようにして前記旋回室に配設され、前記洗浄水の吐水流路を穿設して備えて該吐水流路から洗浄水を吐水する旋回部材とを備え、
前記旋回室へ供給された洗浄水の運動エネルギーから直接受ける力と該運動エネルギーにより生じる揚力および遠心力によって前記旋回部材を旋回させる洗浄ノズルにおいて、
前記旋回部材は、旋回部材中心軸の軸線方向に移動可能とされ、該軸線方向に移動して前記貫通穴周囲に点接触しつつ、前記旋回室部材中心軸が旋回室中心軸に対して傾く揺動を起こして旋回することを特徴とする。
この本発明において、旋回部材と貫通穴周囲との点接触とは鋭角同士、もしくは鋭角と平面の接触であることを指す。
このような構成とすることによって、旋回室に洗浄水が供給されて、旋回部材が旋回部材中心軸の軸線方向に移動して旋回室の貫通穴と接触する際、この旋回部材は、貫通穴周囲に点接触するという不安定な状態となるので、洗浄水の運動エネルギーから直接受ける力と該運動エネルギーにより生じる揚力および遠心力を受けて、より確実に旋回部材における揺動を始動させることが可能となる。
【手続補正４】
【補正対象書類名】明細書
【補正対象項目名】０００９
【補正方法】変更
【補正の内容】
【０００９】
上記した本発明は、以下のような態様を取ることができる。即ち、前記旋回室部材中心軸が前記旋回室中心軸に対して傾く前記旋回部材の最大傾斜角度を規制する最大角度規制ガイド部を前記旋回室に備えるようにした上で、前記旋回部材は、前記最大角度規制ガイドに接触して最大傾斜角度に達するまでにおいても、前記貫通穴周囲と点接触するようにすることができる。
このような構成とすることにより、旋回部材中心軸が旋回室中心軸に対して傾くよう旋回部材が傾くとき、最大傾斜角度に達する間の旋回部材の摺動が点接触で起きるので、常に小さな接触面積であるために、回転が滑らかに行われ、また摺動抵抗が低くなり、摩耗も少なくなる。
【手続補正５】
【補正対象書類名】明細書
【補正対象項目名】００１０
【補正方法】変更
【補正の内容】
【００１０】
このように旋回部材が貫通穴周囲と点接触する上で、旋回部材は貫通穴周囲との接触部をテーパー構造とすることができる。こうすれば、テーパー構造という非常に単純な構造により、旋回室の貫通穴周囲との接触を確実に点接触にすることが可能となる。
【手続補正６】
【補正対象書類名】明細書
【補正対象項目名】００１１
【補正方法】変更
【補正の内容】
【００１１】
この場合、旋回部材のテーパー角度を旋回部材が旋回室において傾く最大傾斜角度よりも大きくすることができる。こうすれば、旋回部材が洗浄水の力を受けて、旋回部材中心軸が旋回室中心軸に対して傾いて旋回部材が最大傾斜角に達する間において、旋回部材のテーパー部は旋回室の貫通穴周囲と接触しつつ摺動するが、この摺動を点接触の状態で起こすことが可能となる。
【手続補正７】
【補正対象書類名】明細書
【補正対象項目名】００１２
【補正方法】変更
【補正の内容】
【００１２】
また、旋回室の貫通穴周囲に貫通穴を取り囲む突起を有するようにすることもできる。こうすれば、旋回部材と貫通穴周囲との接触をより確実に点接触の状態とでき、好ましい。
【手続補正８】
【補正対象書類名】明細書
【補正対象項目名】００１３
【補正方法】変更
【補正の内容】
【００１３】
こうした突起を貫通穴周囲の一部範囲にかけて形成するようにすることもできる。こうすれば、旋回室に洗浄水が供給されて、旋回部材が貫通穴方向へ移動して旋回室の貫通穴周囲に接触する際、旋回部材の一方側が突起と接触し他方は突起の無い貫通穴周囲と当接することになる。よって、旋回部材はその中心軸が旋回室中心軸から傾くよう揺動を起こすので、こうした傾きがない場合と比較して、旋回部材は、洗浄水の運動エネルギーから直接受ける力と該運動エネルギーにより生じる揚力および遠心力を大きく受ける。このために、旋回部材における揺動をより確実に始動させることが可能となる。
【手続補正９】
【補正対象書類名】明細書
【補正対象項目名】００１４
【補正方法】変更
【補正の内容】
【００１４】
この場合、貫通穴周囲の一部範囲のこの突起を、貫通穴周方向に沿って滑らかに傾斜した傾斜構造を有するものとすることができる。こうすれば、旋回部材中心軸が旋回室の中心軸に対して確実に傾き、且つ旋回部材の回転がスムーズに行われるようにすることが可能となる。
【手続補正１０】
【補正対象書類名】明細書
【補正対象項目名】００１５
【補正方法】変更
【補正の内容】
【００１５】
このように貫通穴周囲の突起により旋回部材を傾けるに当たり、旋回部材が突起と接することにより旋回部材中心軸が旋回室中心軸に対して傾く角度を、旋回部材が旋回室と当接して傾斜し得る最大傾斜角度よりも小さくすることができる。こうすれば、突起と接して傾いた旋回部材は、最大傾斜角度までさらに傾くことができる。つまり、突起は、旋回部材の最大傾き角度を規制するものではないため、初期における傾き角度と揺動を起こした後の最大傾斜角度に達するまでの間には、旋回部材の運動を規制するものはなく、スムーズに揺動を行うことが可能となり、摺動抵抗が低減し、効率良く揺動を行うことが可能となる。
【手続補正１１】
【補正対象書類名】明細書
【補正対象項目名】００１６
【補正方法】変更
【補正の内容】
【００１６】
また、貫通穴と対向する旋回室底面に、旋回室中心軸において旋回部材と干渉する突起を設けるようにすることもできる。こうすれば、旋回部材中心軸が旋回室中心軸から傾くよう旋回部材が揺動を起こす際、この揺動初期の状態において既に旋回部材中心軸が旋回室中心軸から傾いていることになる。よって、このように旋回部材中心軸が傾いていない場合と比較して、旋回部材は、洗浄水の運動エネルギーから直接受ける力と該運動エネルギーにより生じる揚力および遠心力を大きく受けるために、確実に、旋回部材における揺動を始動させることが可能となる。
【手続補正１２】
【補正対象書類名】明細書
【補正対象項目名】００１７
【補正方法】変更
【補正の内容】
【００１７】
この場合、旋回部材が突起に干渉して旋回部材中心軸が旋回室中心軸に対して傾く角度を、旋回部材が旋回室と当接して傾斜し得る最大傾斜角度よりも小さくすることができる。こうすれば、旋回室底面の突起と当接することで傾いた旋回部材は、最大傾斜角度までさらに傾くことができる。つまり、旋回室底面の突起は、旋回部材の最大傾き角度を規制するものではないため、初期における傾き角度と揺動を起こした後の最大傾斜角度に達するまでの間には、旋回部材の運動を規制するものはなく、スムーズに揺動を行うことが可能となり、摺動抵抗が低減し、効率良く揺動を行うことが可能となる。
【手続補正１３】
【補正対象書類名】明細書
【補正対象項目名】００１８
【補正方法】変更
【補正の内容】
【００１８】
また、旋回部材の重心が、貫通穴から旋回室外部に突出させている一端側の部分における中心軸から偏心した位置に来るよう、この旋回部材を形成するようにもすることができる。こうすれば、旋回部材が旋回室の貫通穴周囲に接触する部分となる摺動部における荷重分布が不均一になり、旋回部材はあらかじめ傾く。よって、こうした傾きを起こしていない場合と比較して、旋回部材は、洗浄水の運動エネルギーから直接受ける力と該運動エネルギーにより生じる揚力および遠心力を大きく受け、旋回部材における揺動を始動させることが容易となる。
【手続補正１４】
【補正対象書類名】明細書
【補正対象項目名】００１９
【補正方法】変更
【補正の内容】
【００１９】
この場合、旋回部材の受圧部で旋回室に流入する洗浄水の力を受けるようにし、この受圧部により重心を中心軸から偏心させるようにし、その上で、この受圧部を、その形状が中心軸周りにおいて不均一なものとすることができる。こうすれば、この受圧部で洗浄水の力を大きく受けることが可能となり、旋回部材における揺動の始動をより確実に行うことが可能となる。
【手続補正１５】
【補正対象書類名】明細書
【補正対象項目名】００２０
【補正方法】変更
【補正の内容】
【００２０】
上記目的を達するためになされた本発明の他の洗浄ノズルは、
円筒状に形成された部屋の周面に沿って洗浄水が供給される旋回室と、
この旋回室の貫通穴から一端を旋回室外部に突出させ他端が旋回室内に位置するようにして前記旋回室に配設され、前記洗浄水の吐水流路を穿設して備えて該吐水流路から洗浄水を吐水する旋回部材とを備え、
前記旋回室へ供給された洗浄水の運動エネルギーから直接受ける力と該運動エネルギーにより生じる揚力および遠心力によって前記旋回部材を旋回させる洗浄ノズルにおいて、
前記貫通穴と対向する旋回室底面に、前記旋回室中心軸において前記旋回部材と干渉する突起を有することを特徴とする。
こうしても、旋回室底面の突起による上記した旋回部材の揺動初期の状態における旋回部材中心軸の傾きにより、旋回部材における揺動を始動させることが可能となる。
なお、この場合であっても、旋回部材が旋回室底面の突起に干渉して旋回部材中心軸が旋回室中心軸に対して傾く角度を、旋回部材が旋回室と当接して傾斜し得る最大傾斜角度よりも小さくすることができる。
【手続補正１６】
【補正対象書類名】明細書
【補正対象項目名】００２１
【補正方法】変更
【補正の内容】
【００２１】
上記目的を達するためになされた本発明の他の洗浄ノズルは、
円筒状に形成された部屋の周面に沿って洗浄水が供給される旋回室と、
この旋回室の貫通穴から一端を旋回室外部に突出させ他端が旋回室内に位置するようにして前記旋回室に配設され、前記洗浄水の吐水流路を穿設して備えて該吐水流路から洗浄水を吐水する旋回部材とを備え、
前記旋回室へ供給された洗浄水の運動エネルギーから直接受ける力と該運動エネルギーにより生じる揚力および遠心力によって前記旋回部材を旋回させる洗浄ノズルにおいて、
前記旋回部材は、前記貫通穴から旋回室外部に突出させている前記一端側の部分における中心軸から偏心した位置に重心が来るよう、形成されていることを特徴とする。
こうしても、重心の偏心による荷重分布の不均一により、旋回部材における揺動を始動させることが容易となる。
なお、この場合であっても、旋回部材の受圧部で旋回室に流入する洗浄水の力を受けるようにし、この受圧部により重心を中心軸から偏心させるようにし、その上で、この受圧部を、その形状が中心軸周りにおいて不均一なものとすることができる。
【手続補正１７】
【補正対象書類名】明細書
【補正対象項目名】００２２
【補正方法】変更
【補正の内容】
【００２２】
また、これら洗浄ノズルにおいて、旋回室は、貫通穴の周囲から漏水させる漏水部を有するものとすることができる。こうすれば、旋回室内の圧力を、漏水させない場合と比較して、低下させることが可能となり、旋回部材と旋回室の貫通穴周囲との接触部である摺動部の摩擦抵抗が低下し、より確実に旋回部材における揺動の始動が可能となる。
また、この漏水部は旋回室の貫通穴周囲の一部に形成された漏水口を有するものとすることができる。こうすれば、簡単な構成で、旋回部材と旋回室の貫通穴周囲との接触部である摺動部から漏水させることが可能となり、摩擦抵抗を低減させることが可能なばかりでなく、漏水部の漏水における力により旋回部材を傾けることが可能となる。
更に、漏水部は、旋回室の貫通穴と貫通穴内に位置する旋回部材の部位の少なくとも一方の形状を略楕円もしくは長円構造とすることができる。こうすれば、簡単な構成で、旋回部材と旋回室の貫通穴周囲との接触部である摺動部から漏水させることが可能であると共に、旋回部材の中心軸が、旋回室の中心軸に対して傾いてもスムーズに回転を行うことが可能となる。
【手続補正１８】
【補正対象書類名】明細書
【補正対象項目名】００２３
【補正方法】変更
【補正の内容】
【００２３】
また、人体を洗浄する本発明のシャワー装置は、既述したいずれかの洗浄ノズルに、水道直圧により給水するようにした構成とすることである。
本発明のシャワー装置は、旋回部材を揺動させる洗浄ノズルにおいて、洗浄ノズルと旋回部材の一部を直接接触して摺動させており、シール部を有してないため、摺動部より若干の水漏れを生じることがあるので、浴室などで用いられるシャワー装置に本発明の洗浄ノズルを用いると、摺動部における若干の水漏れが気にならないため特に本発明の洗浄ノズルは適している。また、摺動部に若干の水漏れをすることにより、洗浄水による摺動部の潤滑作用が期待され、摺動抵抗が低くなり、摩耗も少なくなる。
また、洗浄水を揺動吐水させることにより、低流量の洗浄水によって広範囲の洗浄可能となり、さらに洗浄水の揺動吐水により心地よい刺激感を得ることが可能となる。
また、本発明のシャワー装置を頭皮洗浄装置として用いた場合、洗浄水が揺動吐水しているので、毛穴の詰まった皮脂などを効率良く除去することも可能となる。
また、水道直圧で使用可能することによって、装置が単純になる。
【手続補正１９】
【補正対象書類名】明細書
【補正対象項目名】００２４
【補正方法】変更
【補正の内容】
【００２４】
また、人体を洗浄する本発明のシャワー装置は、既述したいずれかの洗浄ノズルに、洗浄水圧送手段により給水するようにした構成とすることである。
洗浄水の揺動吐水による刺激により血行促進効果やマッサージ効果を得ようとする場合、水道圧不足の場合による刺激不足などを解消することが可能となる。
また、洗浄水の揺動吐水により、低流量の洗浄水によって広範囲の洗浄可能となり、さらに洗浄水の揺動吐水により心地よい刺激感を得ることが可能となる。
また、本発明のシャワー装置を頭皮洗浄装置として用いた場合、洗浄水が揺動吐水しているので、毛穴の詰まった皮脂などを効率良く除去することも可能となる。
【手続補正２０】
【補正対象書類名】明細書
【補正対象項目名】００２９
【補正方法】変更
【補正の内容】
【００２９】
図１の構成で、洗浄水を吐水した場合について図３に基づいて説明すると、洗浄ノズル１に供給された洗浄水は通水路３より通水路面積が狭くなった旋回室流入路４によって流速が速められることで運動エネルギーが大きくなった状態で旋回室５に流入する。また、前記旋回室流入路４は旋回室５に対して接線方向から洗浄水を流入するように構成されているため、旋回室５に流入した洗浄水は、旋回室５内部で旋回する。
このとき旋回部材２は、旋回室５内の圧力により、旋回室の中心軸に沿って、洗浄水の吐水方向に力を受け、旋回部材の貫通穴に突出している部分の中心軸１３は、旋回室の中心軸１４と平行になろうとするが突起９および干渉部１０により傾く。
傾いた旋回部材２は、傾いていない場合に比べ、洗浄水から直接受ける力と該運動エネルギーにより生じる揚力および遠心力を大きく受け、旋回部材の貫通穴に突出している部分の中心軸１３は、旋回室の中心軸１４に対してさらに傾斜して揺動を起こす。
また、旋回部材２における旋回室５の貫通穴８周囲との接触部１１はテーパー構造となっており、旋回室５の貫通穴８周囲と旋回部材２は点接触になっているので、洗浄水から直接受ける力と該運動エネルギーにより生じる揚力および遠心力によって旋回部材２は、旋回室５の中心軸に対して傾斜しやすくなっている。
また、旋回部材２は旋回室５上部に設けられている最大角度規制ガイド１２により最大傾斜角度が規制されるように構成されており、旋回部材の接触部１１のテーパー角度は旋回部材２の揺動による傾斜角度よりも大きくしているため、旋回部材２は揺動による最大傾斜角度に達するまで点接触となっている。
そのため、初期の傾きから最大傾き角度まで旋回部材２の運動を規制するものがなく、スムーズに揺動を行うことが可能となり、摺動抵抗が少なく、効率よく揺動を行う。
【手続補正２１】
【補正対象書類名】明細書
【補正対象項目名】００３５
【補正方法】変更
【補正の内容】
【００３５】
図４の構成で、洗浄水を吐水した場合について図９および図１０に基づいて説明すると、洗浄ノズル２１に供給された、洗浄水は通水路２３より通水路面積が狭くなった旋回室流入路２４によって流速が速められることで運動エネルギーが大きくなった状態で旋回室２５に流入する。前記旋回室流入路２４は旋回室２５に対して接線方向から洗浄水を流入するように構成されているため、旋回室２５に流入した洗浄水は旋回室２５内部で旋回する。また、旋回室２５が洗浄水で満たされ、旋回室内の圧力Pが上昇すると旋回部材２２は、旋回室の中心軸３１の軸線方向に移動し、図９のようにガイド２９に押し付けられ、突起部２８により旋回部材２２の貫通穴３３に突出している部分の中心軸３２は、旋回室の中心軸３１からある傾斜角度を持った状態となる。
傾いた旋回部材２２は、傾いていない場合に比べ、洗浄水から直接受ける力と該運動エネルギーにより生じる揚力および遠心力を大きく受け、旋回部材の貫通穴に突出している部分の中心軸３２は、旋回室の中心軸３１に対してさらに傾斜して揺動を起こす。
前記突起２８により、旋回部材２２の傾く角度は、最大角度規制ガイド部３０による旋回部材２２の最大傾斜角度よりも小となるようにしてある。そのため、初期の傾きから最大傾き角度まで旋回部材２２の運動を規制するものがなく、スムーズに揺動を行うことが可能となり、摺動抵抗が少なく、効率よく揺動を行う。
また、突起部２８が滑らかな傾斜構造としているため、旋回部材２２の揺動はスムーズに行われる。
【手続補正２２】
【補正対象書類名】明細書
【補正対象項目名】００４９
【補正方法】変更
【補正の内容】
【００４９】
また、洗浄ノズル６１には、旋回部材６２の運動を規制するガイド６９が設けてある。前記ガイド６９を図面を用いて詳しく説明する。図２０はガイド６９における上からの透視図、図２１は図２０におけるA-A断面図を示しており、図２１は図１９における洗浄ノズル６１における横からの断面図と同じ方向から見ている。
ガイド６９には、旋回部材６２の揺動角度を規制する最大角度規制ガイド部７０と前記貫通穴７４、旋回部材６２と前記貫通穴７４周囲の接触部に漏水口６８が設けられている。
【手続補正２３】
【補正対象書類名】明細書
【補正対象項目名】００５０
【補正方法】変更
【補正の内容】
【００５０】
また、旋回部材６２には、カウンターウエイト７２が備え付けてある。カウンターウエイト７２は旋回部材６２に一箇所だけ備え付けてあり、回転の周方向に不均一である。そのためカウンターウェイト７２により旋回部材６２の重心は、旋回部材６２の貫通穴７４に突出している部分の中心軸７３偏心したところに配置してあることになる。
【手続補正２４】
【補正対象書類名】明細書
【補正対象項目名】００５１
【補正方法】変更
【補正の内容】
【００５１】
図１８の構成で、洗浄水を吐水した場合について図２２に基づいて説明すると、洗浄ノズル６１に供給された、洗浄水は通水路６３より通水路面積が狭くなった旋回室流入路６４によって流速が速められることで運動エネルギーが大きくなった状態で旋回室６５に流入する。前記旋回室流入路６４は旋回室６５に対して接線方向から洗浄水を流入するように構成されているため、旋回室６５に流入した洗浄水は旋回室６５内部で旋回する。
また、旋回室６５が洗浄水で満たされ、旋回室内の圧力Pが上昇すると旋回部材６２は、旋回部材６２と前記貫通穴７４周囲の接触部に押し付けられるが、漏水口６８により、洗浄水が漏水するため旋回室６５内の圧力は漏水がない時に比較して低くなる。そのため旋回部材６２が旋回部材６２と前記貫通穴７４周囲の接触部に押しつけられる力が低くなるために、洗浄水から直接受ける力と該運動エネルギーにより生じる揚力および遠心力を受けて旋回部材６２の貫通穴７４に突出している部分の中心軸７３が旋回室の中心軸７１から傾きやすくなっている。
また、漏水口６８からの漏水による力を受けて旋回部材６２は、傾きやすくなっている。
【手続補正２５】
【補正対象書類名】明細書
【補正対象項目名】００５２
【補正方法】変更
【補正の内容】
【００５２】
また、旋回部材６２には旋回部材６２の重心を、旋回部材６２の貫通穴７４に突出している部分の中心軸７３から偏心させるカウンターウェイト７２があるから、旋回部材６２が旋回室６５の貫通穴周囲との接触部である摺動部における荷重分布が不均一になり、旋回部材６２があらかじめ傾くため、浄水から直接受ける力と該運動エネルギーにより生じる揚力および遠心力を強く受けて揺動を始動しやすくなる。
【手続補正２６】
【補正対象書類名】明細書
【補正対象項目名】００５８
【補正方法】変更
【補正の内容】
【００５８】
また、それぞれの旋回部材８６には洗浄水が給水される給水口８７と給水口８７と連通して洗浄水を噴射吐水する吐水口８８が備わっている構成となっている。
図２３の構成で、洗浄水を吐水した場合について図２４に基づいて説明すると、シャワー装置８１に供給された洗浄水は通水路８２、バッファ室８３旋回室流入路８４、旋回室８５の順に供給される。
また、前記旋回室流入路８４は旋回室８５に対して接線方向から洗浄水を流入するように構成されているため、旋回室８５に流入した洗浄水は、旋回室８５内部で旋回する。
このとき旋回部材８６は、旋回室８５内の圧力により、旋回室の中心軸に沿って、洗浄水の吐水方向に力を受け、旋回部材の貫通穴に突出している部分の中心軸は、旋回室の中心軸と平行になろうとするが突起９０および干渉部８９により傾く。
傾いた旋回部材８６は、傾いていない場合に比べ、洗浄水から直接受ける力と該運動エネルギーにより生じる揚力および遠心力を大きく受け、旋回部材の貫通穴に突出している部分の中心軸は、旋回室の中心軸に対してさらに傾斜して揺動を起こす。
【手続補正２７】
【補正対象書類名】明細書
【補正対象項目名】符号の説明
【補正方法】変更
【補正の内容】
【符号の説明】
１…洗浄ノズル
２…旋回部材
３…通水路
４…旋回室流入路
５…旋回室
６…給水口
７…吐水口
８…貫通穴
９…突起
１０…干渉部
１１…接触部
１２…最大角度規制ガイド
１３…旋回部材の貫通穴に突出している部分の中心軸
１４…旋回室の中心軸
２１…洗浄ノズル
２２…旋回部材
２３…通水路
２４…旋回室流入路
２５…旋回室
２６…給水口
２７…吐水口
２８…突起部
２８…突起
２９…ガイド
３０…最大角度規制ガイド部
３０…度規制ガイド部
３１…旋回室の中心軸
３２…旋回部材の貫通穴に突出している部分の中心軸
３３…貫通穴
４１…洗浄ノズル
４２…旋回部材
４３…通水路
４４…旋回室流入路
４５…旋回室
４６…給水口
４７…吐水口
４８…貫通穴
４９…ガイド
５１…旋回室の中心軸
５２…受圧部
５３…旋回部材の貫通穴に突出している部分の中心軸
５４…突起部
６１…洗浄ノズル
６２…旋回部材
６３…通水路
６４…旋回室流入路
６５…旋回室
６６…給水口
６７…吐水口
６８…漏水口
６９…ガイド
７０…最大角度規制ガイド部
７１…旋回室の中心軸
７２…カウンターウェイト
７３…旋回部材の貫通穴に突出している部分の中心軸
７４…貫通穴
８１…シャワー装置
８２…通水路
８３…バッファ室
８４…旋回室流入路
８５…旋回室
８６…旋回部材
８７…給水口
８８…吐水口
８９…干渉部
９０…突起
９１…貫通穴
９２…最大角度規制ガイド
１０１…洗浄ノズル
１０２…旋回部材
１０３…通水路
１０４…旋回室流入路
１０５…旋回室
１０６…給水口
１０７…吐水口
１０８…旋回部材３２における洗浄ノズル３１との摺動部
１０９…洗浄ノズル３１における旋回部材３２との摺動部
１１０…角度規制ガイド
１１１…物体
１１２…平面
【手続補正２８】
【補正対象書類名】図面
【補正対象項目名】図２
【補正方法】変更
【補正の内容】
【図２】
2003171966.tif 000001
【手続補正２９】
【補正対象書類名】図面
【補正対象項目名】図３
【補正方法】変更
【補正の内容】
【図３】
2003171966.tif 000002
【手続補正３０】
【補正対象書類名】図面
【補正対象項目名】図５
【補正方法】変更
【補正の内容】
【図５】
2003171966.tif 000003
【手続補正３１】
【補正対象書類名】図面
【補正対象項目名】図９
【補正方法】変更
【補正の内容】
【図９】
2003171966.tif 000004
【手続補正３２】
【補正対象書類名】図面
【補正対象項目名】図１０
【補正方法】変更
【補正の内容】
【図１０】
2003171966.tif 000005
【手続補正３３】
【補正対象書類名】図面
【補正対象項目名】図１１
【補正方法】変更
【補正の内容】
【図１１】
2003171966.tif 000006
【手続補正３４】
【補正対象書類名】図面
【補正対象項目名】図１２
【補正方法】変更
【補正の内容】
【図１２】
2003171966.tif 000007
【手続補正３５】
【補正対象書類名】図面
【補正対象項目名】図１７
【補正方法】変更
【補正の内容】
【図１７】
2003171966.tif 000008
【手続補正３６】
【補正対象書類名】図面
【補正対象項目名】図１９
【補正方法】変更
【補正の内容】
【図１９】
2003171966.tif 000009
【手続補正３７】
【補正対象書類名】図面
【補正対象項目名】図２２
【補正方法】変更
【補正の内容】
【図２２】
2003171966.tif 000010